(57)【特許請求の範囲】
【請求項１】
フレームの中央にベルトを固定するための支軸を掛け渡し、該支軸に回動自在に支環を取り付けたベルト用バックルであって、
湾曲形状としたピン部材を前記支軸と直交する方向に向けて配置し、前記支環に設けた孔部に前記ピン部材に形成した環状溝を嵌入して、前記ピン部材の後端部を前記支環に対し回転自在に取り付けたことを特徴とするベルト用バックル。
【請求項２】
前記ピン部材は略Ｓ字状に湾曲したことを特徴とする請求項１に記載のベルト用バックル。
【請求項３】
前記フレームの両側に前記ピン部材の先端部が当接するピン受凹部をそれぞれ形成したことを特徴とする請求項１又は２に記載のベルト用バックル。
【請求項４】
前記環状溝の幅を広くし、その一部にスプリングワッシャを挿入したことを特徴とする請求項１〜３の何れか１項に記載のベルト用バックル。
【発明の詳細な説明】
【技術分野】
【０００１】
本発明は、ベルト両面において例えばデザインが異なるリバーシブルベルトに用いるベルト用バックルに関するものである。
【背景技術】
【０００２】
図６は従来の一般的なベルト用バックル１の斜視図を示しており、金属製のフレーム２に設けられた支軸３に革等から成るベルト４が取り付けられている。使用者の腹部にベルト４を巻回した後に、図示しないベルト４の先端部をフレーム２に通し、ベルト４の先端部に設けられた複数個のベルト孔の任意の１個に、支軸３に回動自在に取り付けられた金属製のピン部材５を挿通することにより、ベルト４を所定長さで掛止する。この場合に、ピン部材５は略Ｓ字状に湾曲され、その先端部はベルト孔に挿入し易くすると共に、フレーム２に設けられたピン受凹部６に適合するように形成されている。
【０００３】
しかし、バックル１はベルト４の片面であるＡ面のみを外面として使用することを前提として製作されている。図７に示すようにベルト４の表裏を反転し、Ｂ面を外面として使用しようとすると、ピン部材５の先端部の曲げも反対となると共に、ピン部材５の先端部を係止するためのピン受凹部６は使えなくなり、使い勝手の悪いものとなる。
【０００４】
ピン受凹部６については、フレーム２の両側に形成することにより解決できるとしても、ピン部材５の先端部の曲げの向きは、ベルト４のベルト孔にピン部材５を挿入する際の使い勝手に大きな影響を及ぼす。また、図７に示すような曲げ形状のピン部材５は、仮にこの位置にピン受凹部６を設けてもベルト４のベルト孔に挿入し難い。
【０００５】
この問題を解決するために、特許文献１において、ベルト両面の使用可能とするリバーシブルベルト用のバックルが開示されている。
【先行技術文献】
【特許文献】
【０００６】
【特許文献１】実用新案登録第３１７６７４４号公報
【発明の概要】
【発明が解決しようとする課題】
【０００７】
しかし、この特許文献１におけるバックルは、ベルトの使用する面を変更する度に、バックルを分解して部材の向きを組換える必要があり、その作業は煩わしく、更には分解した際に部品を紛失したりする虞れもある。
【０００８】
本発明の目的は、上述の問題点を解消し、バックルを分解することなく、ベルト両面を任意に用いることができるベルト用バックルを提供することにある。
【課題を解決するための手段】
【０００９】
上記目的を達成するための本発明に係るベルト用バックルは、フレームの中央にベルトを固定するための支軸を掛け渡し、該支軸に回動自在に支環を取り付けたベルト用バックルであって、湾曲形状としたピン部材を前記支軸と直交する方向に向けて配置し、前記支環に設けた孔部に前記ピン部材に形成した環状溝を嵌入して、前記ピン部材の後端部を前記支環に対し回転自在に取り付けたことを特徴とする。
【発明の効果】
【００１０】
本発明に係るベルト用バックルによれば、ベルトをリバーシブルとして両面の何れかを簡便に選択して使用できる。
【図面の簡単な説明】
【００１１】
【図１】実施例のベルト用バックルの斜視図である。
【図２】支環とピン部材の分解斜視図である。
【図３】支環にピン部材を連結した状態の斜視図である。
【図４】ベルトの表面を外側とした状態の斜視図である。
【図５】ベルトの裏面を外側とした状態の斜視図である。
【図６】従来のバックルの斜視図である。
【図７】従来のバックルの斜視図である。
【発明を実施するための形態】
【００１２】
本発明を図１〜図５に図示の実施例に基づいて詳細に説明する。
図１は実施例におけるリバーシブルベルトに使用可能な金属製のベルト用バックル１１の斜視図である。四角枠のフレーム１２の中央にベルトを固定するための支軸１３が配置され、略「日」の字を横にした形状とされている。フレーム１２及び支軸１３は鋳物で一体成形したり、別個に製造したものを溶接等で固定することにより製造されている。なお、フレーム１２は四角枠ではなく、円形枠や楕円形枠としても支障はない。また、枠体のフレーム１２に部分的に切れ目を設けてもよい。
【００１３】
支軸１３には、支環１４が回動自在に挿通されており、更に支環１４にはベルト孔に対する留金となり、略Ｓ字状の湾曲形状を有するピン部材１５の後端部１５ａが回転自在に取り付けられ、ピン部材１５は支軸１３と直交する方向に向けられている。また、支環１４が回動した際に、ピン部材１５の先端部１５ｂが当接するフレーム１２の両側の位置には、ピン受凹部１２ａ、１２ｂが形成されている。
【００１４】
図２は支環１４とピン部材１５の分解斜視図である。支環１４は金属パイプの長手方向に、スリット１４ａを切削した後に、金属パイプを所定の長さに輪切状に切断して製作されている。更に、スリット１４ａを拡げることにより略Ｃ環状とし、スリット１４ａの反対側に断面円形の所定径の孔部１４ｂを穿孔する。この孔部１４ｂはピン部材１５の後端部１５ａの径よりも稍々大きくされている。
【００１５】
ピン部材１５の後端部１５ａに、切削により円環状の環状溝１５ｃを形成した後に、ピン部材１５をピン受凹部１２ａ、１２ｂに向けて略Ｓ字状に湾曲させる。ピン部材１５の後端部１５ａを支環１４の孔部１４ｂに挿入して、孔部１４ｂの縁部に環状溝１５ｃが位置するようピン部材１５に配置した後に、孔部１４ｂを図３に示すように矢印で示す上下方向から押圧すると、正円形状の孔部１４ｂは上下方向に潰れた楕円形状となる。
【００１６】
これにより、楕円形状の孔部１４ｂの上下の縁部がピン部材１５の環状溝１５ｃに嵌入し、ピン部材１５は支環１４に対して抜け出すことなく、かつ環状溝１５ｃを中心に回動自在に連結される。そして、ピン部材１５を連結した支環１４を、支軸１３にスリット１４ａを用いて挿入した後に、スリット１４ａの間隙を閉じて、支軸１３から外れないようにすることにより、図１に示すバックル１１を得ることができる。
【００１７】
このバックル１１では、支環１４が支軸１３に対し１８０度回動可能となり、ピン部材１５はその軸を中心に支環１４に対して３６０度回転自在となる。ベルトの何れの面を用いても、ピン部材１５を回動するだけで、通常のベルトと同様に、ピン部材１５の先端部１５ｂがピン受凹部１２ａ又は１２ｂ側に曲がったバックル１１となる。
【００１８】
ピン部材１５の後端部１５ａを支環１４の孔部１４ｂに挿入して潰す際に、上下方向からの押圧力を調整することで、ピン部材１５を支環１４に対して回動する際に適度な抵抗が生じさせることができる。このように抵抗を生じさせることで、ピン部材１５が支軸１３に対して大きくがたつくことがなく、形状を保持することができる。
【００１９】
後端部１５ａと孔部１４ｂとのがたつきを防止するために、環状溝１５ｃの幅を支環１４の肉厚と一致させて、がたつきを少なくしたり、或いは環状溝１５ｃの幅を広くし、その一部に予めスプリングワッシャを挿入すると、ピン部材１５はスプリングワッシャの弾発力によりがたつきが少なくなる。
【００２０】
そして、図４に示すようにバックル１１に対して、ベルト２１を支軸１３に固定する。支軸１３にベルト２１の折返部２１ａが挿通され、折返部２１ａの一部の切欠部２１ｂから支環１４は露出されるので、支環１４の支軸１３に対する回動に支障が生ずることはなく、また支環１４の位置はベルト２１の切欠部２１ｂにより位置決めされる。
【００２１】
ベルト２１をズボンの周りに廻し、先端部をバックル１１のフレーム１２と支軸１３の間を通し、ベルト孔にピン部材１５の先端部１５ｂを挿通することにより、ベルト２１はバックル１１に留められる。そして、ピン部材１５の先端部１５ｂはピン受凹部１２ａに当接し、ピン部材１５の先端部１５ｂの上下の位置ずれが防止される。
【００２２】
図４はベルト２１のＡ面を外側にして使用する場合を示しているが、Ｂ面を使用する際には、図５に示すように支軸１３を中心としてベルト２１を裏返し、支環１４を支軸１３に対し回転させ、更にピン部材１５を１８０度回動させて先端部１５ｂの曲がりを反転させれば、先端部１５ｂはピン受凹部１２ｂに当接することになる。
【００２３】
なお実施例においては、ピン受凹部１２ａ、１２ｂを設けたベルト用バックルについて説明したが、ピン受凹部１２ａ、１２ｂは必ずしも必要不可欠なものではない。
【００２４】
また、実施例においては、バックル１１の製造過程を説明したが、例えば支環１４は金属パイプからではなく、金属板から製造するなど、本発明は特許請求の範囲内において、他の手段を用いて製造してもよい。
【符号の説明】
【００２５】
１１  ベルト用バックル
１２  フレーム
１２ａ、１２ｂ  ピン受凹部
１３  支軸
１４  支環
１４ａ  スリット
１４ｂ  孔部
１５  ピン部材
１５ａ  後端部
１５ｂ  先端部
１５ｃ  環状溝
２１  ベルト
【要約】
【課題】リバーシブルベルトの何れかの面を外側に選択して使用可能なベルト用バックルを得る。
【解決手段】フレーム１２の中央にベルトを固定するための支軸１３が配置され、支軸１３には支環１４が回動自在に挿通され、更に支環１４にはピン部材１５の後端部が回転自在に取り付けられている。ベルト２１の折返部２１ａを支軸１３に固定し、先端部をバックル１１のフレーム１２と支軸１３の間を通し、ベルト孔にピン部材１５の先端部１５ｂを挿通すると、ベルトの先端部はバックル１１に留められ、先端部１５ｂはピン受凹部１２ａに当接し、Ａ面の使用ができる。Ｂ面を使用するには、ベルト２１を支軸１３を中心として裏返し、支環１４を支軸１３に対し回転し、更にピン部材１５を回動させて先端部１５ｂの曲がりを反転させ、先端部は１５ｂをピン受凹部１２ｂに当接すればよい。
【選択図】図４【図１】
0005459692.tif 000002
【図２】
0005459692.tif 000003
【図３】
0005459692.tif 000004
【図４】
0005459692.tif 000005
【図５】
0005459692.tif 000006
【図６】
0005459692.tif 000007
【図７】
0005459692.tif 000008